(57)【要約】【課題】  デジタル変調信号の伝送品質を低下させる原因を簡易に特定することが可能なデジタル変調信号解析装置を提供する。【解決手段】  所定の変調方式で変調されたデジタル変調信号を解析して、解析結果を表示するデジタル変調信号解析装置１において、デジタル変調信号を直交復調してＩ信号およびＱ信号に変換する直交復調手段１０と、直交復調手段１０によって出力されるＩ信号およびＱ信号の振幅成分を抽出する振幅抽出手段２０と、振幅抽出手段２０によって抽出された振幅成分に同期信号を付加して表示手段４０に出力する同期付加手段３０とを具備した。【選択図】      図１
2006157362.tif 000002
【特許請求の範囲】
【請求項１】
所定の変調方式で変調されたデジタル変調信号を解析して、解析結果を表示するデジタル変調信号解析装置において、
前記デジタル変調信号を直交復調してＩ信号およびＱ信号に変換する直交復調手段と、
この直交復調手段によって出力されるＩ信号およびＱ信号に基づいて、所定の時間軸信号の振幅成分を抽出する振幅抽出手段と、
この振幅抽出手段によって抽出された振幅成分に同期信号を付加して表示手段に出力する同期付加手段と、
を備えることを特徴とするデジタル変調信号解析装置。
【請求項２】
前記時間軸信号が、前記直交復調手段によって出力されるＩ信号およびＱ信号であることを特徴とする請求項１に記載のデジタル変調信号解析装置。
【請求項３】
前記直交復調手段によって出力されるＩ信号およびＱ信号に含まれている変調成分を打ち消す信号処理を行って前記時間軸信号を生成する信号処理手段をさらに備えることを特徴とする請求項１に記載のデジタル変調信号解析装置。
【請求項４】
前記信号処理手段は、
前記直交復調手段によって出力されるＩ信号およびＱ信号について位相同期および周波数同期を行う同期検波手段と、
この同期検波手段から出力される信号におけるキャリアシンボルを硬判定する硬判定手段と、
前記同期検波手段から出力される信号を、前記硬判定手段から出力される信号で複素除算する複素除算手段と、
を備え、
前記複素除算手段から出力される信号を前記時間軸信号とすることを特徴とする請求項３に記載のデジタル変調信号解析装置。
【請求項５】
前記信号処理手段は、
前記デジタル変調信号の波形を等化する波形等化用基準信号を発生する基準信号発生手段と、
前記直交復調手段から出力されるＩ信号およびＱ信号を高速フーリエ変換により、周波数領域のキャリアデータに変換する高速フーリエ変換手段と、
この高速フーリエ変換手段から出力されるキャリアデータから、送信側で予め挿入された前記波形等化用基準信号に相当する基準信号を抽出する基準信号抽出手段と、
この基準信号抽出手段で抽出された基準信号を、前記基準信号発生手段で発生した波形等化用基準信号で複素除算する複素除算手段と、
を備え、
前記複素除算手段から出力される信号を前記時間軸信号とすることを特徴とする請求項３に記載のデジタル変調信号解析装置。
【請求項６】
前記信号処理手段は、
前記デジタル変調信号の波形を等化する波形等化用基準信号と、前記直交復調手段から出力されるＩ信号およびＱ信号とに基づいて、前記デジタル変調信号が伝送された伝送路の伝送路特性を推定する等化手段と、
この等化手段から出力される伝送路特性におけるキャリアシンボルを硬判定する硬判定手段と、
前記波形等化用基準信号と、前記硬判定手段から出力される硬判定出力と、を所定のタイミングで切り替える切替手段と、
前記等化手段で推定された伝送路特性を、前記切替手段により切り替えられた信号で複素除算する複素除算手段と、
を備え、
前記複素除算手段から出力される信号を前記時間軸信号とすることを特徴とする請求項３に記載のデジタル変調信号解析装置。
【請求項７】
所定の変調方式で変調されたデジタル変調信号を解析して、解析結果を表示するデジタル変調信号解析装置において、
前記デジタル変調信号を直交復調してＩ信号およびＱ信号に変換する直交復調手段と、
この直交復調手段によって出力されるＩ信号およびＱ信号に含まれている変調成分を打ち消す信号処理を行って時間軸信号を生成すると共に、この時間軸信号の振幅成分を抽出する信号処理手段と、
この信号処理手段によって抽出された振幅成分に同期信号を付加して表示手段に出力する同期付加手段と、
を備えることを特徴とするデジタル変調信号解析装置。
【請求項８】
前記信号処理手段は、
前記直交復調手段によって出力されるＩ信号およびＱ信号について位相同期および周波数同期を行う同期検波手段と、
この同期検波手段から出力される信号におけるキャリアシンボルを硬判定する硬判定手段と、
前記同期検波手段から出力される信号を、前記硬判定手段から出力される信号で複素除算して前記時間軸信号を生成し、その実数部分を、この時間軸信号の振幅成分として抽出する複素除算手段と、
を備えることを特徴とする請求項７に記載のデジタル変調信号解析装置。
【請求項９】
前記信号処理手段は、
前記デジタル変調信号の波形を等化する波形等化用基準信号を発生する基準信号発生手段と、
この基準信号発生手段で発生する波形等化用基準信号と、前記硬判定手段から出力される信号と、を所定のタイミングで切り替える切替手段と、
をさらに備え、
前記複素除算手段は、前記同期検波手段から出力される信号を、前記切替手段によって切り換えられた信号で複素除算することを特徴とする請求項８に記載のデジタル変調信号解析装置。
【発明の詳細な説明】
【技術分野】
【０００１】
本発明は、放送分野において、デジタルＦＰＵを使用する撮影現場でデジタル変調信号の状態を表示するため、または、ＱＰＳＫ、ＱＡＭ、ＯＦＤＭなどの変調方式で変調されたデジタル変調信号の受信点での状態を表示するために、このデジタル変調信号を解析するデジタル変調信号解析装置に関する。
【背景技術】
【０００２】
従来、放送分野において、番組素材を無線伝送する場合に、アナログ方式で、ＦＰＵ（Field Pick-up Unit：放送用番組素材無線伝送装置）およびＴＳＬ（Transmitter to Studio Link）を介して、撮影現場の映像が放送局（スタジオ）に伝送されていた。近年、撮影現場、放送局および送信所の間における無線伝送は、それぞれ、デジタルＦＰＵ、デジタルＴＳＬ、デジタルＳＴＬ（Studio to Transmitter Link）、デジタルＴＴＬ（Transmitter to Transmitter Link）として、アナログ方式からデジタル方式に移行しつつある。また、国内の地上デジタル放送では、ＯＦＤＭ（Orthogonal Frequency Division Multiplexing）方式と呼ばれる変調方式を基本にしたＩＳＤＢ−Ｔ（Integrated Services of Digital Broadcasting Terrestrial）方式が採用されており、このデジタル変調信号を受信側で高品質なものとする技術が求められている。
【０００３】
これらＦＰＵやＯＦＤＭなどにおいて、無線伝送されるデジタル変調信号は、途中の伝搬路（伝送路）で様々な妨害を受ける。例えば、ＦＰＵでは、同一チャンネルのデジタル波の干渉、アナログＦＭ変調の干渉、連絡無線等からの干渉（以上、総称して干渉波）、レーダーパルスなどのパルス雑音などの妨害がある。そこで、デジタル変調信号の受信点での状態を監視する測定装置が知られている（例えば、特許文献１参照）。
【０００４】
このような測定装置には、例えば、ビット誤り率測定器、コンスタレーション表示装置、スペクトラムアナライザ、遅延プロファイル測定装置などがある。ここで、これらの測定装置の機能を簡単に説明する。ビット誤り率測定器は、受信信号をデジタル信号に戻した後に送信データと比較してデータの誤りの割合がどの程度発生しているかを表示するものである。コンスタレーション表示装置は、デジタル変調信号を複素数平面上に表示し、表示された信号点の大きさや信号配置の歪みなどを監視することで、デジタル変調信号の品質を監視するものである。スペクトラムアナライザは、デジタル変調信号を直接、周波数領域で監視することで、周波数の歪みや干渉波等の混入状況などを監視するものである。遅延プロファイル測定装置は、伝送路応答に基づいて、伝送路の統計的性質を示す遅延プロファイルを求めるものである。
【０００５】
また、従来のアナログＦＭ変調方式のＦＰＵにおいては、付設の映像モニタを利用することで、変調信号の受信点での状態を簡易に監視することができた。すなわち、映像モニタで番組素材を監視しているときに、伝送路における妨害が発生した場合、映像モニタの画面にノイズが発生していた。例えば、干渉波が妨害原因の場合には、映像モニタにビートが発生し、パルス雑音が妨害の原因であれば、映像モニタにパルスが発生した。これにより、映像モニタを監視することで、妨害原因を特定することができた。
【特許文献１】特開２００２−３３５２２６号公報（００２５〜００４７、図１）
【発明の開示】
【発明が解決しようとする課題】
【０００６】
ところが、近年、ＦＰＵのデジタル化が進み、ＨＤＴＶ（High Definition TV）信号をＭＰＥＧ方式による符号化器で帯域圧縮し、その信号をデジタルＦＰＵで伝送することが広く行われるようになった。このデジタルＦＰＵを使用して、付設された映像モニタで番組素材を監視しているときに、伝搬路における妨害（干渉波、パルス雑音など）が発生した場合には、映像モニタの画面上では、画像が停止（フリーズ）してしまう。従って、このフリーズを引き起こした原因が干渉波によるものなのか、パルス雑音によるものなのか特定することができないので、対処のしようがない。そこで、妨害原因を特定しようとした場合には、前記したビット誤り率測定器、コンスタレーション表示装置、スペクトラムアナライザ、遅延プロファイル測定装置などの特別な測定装置を複数種類利用しなければならない。
【０００７】
しかしながら、放送番組素材無線伝送を行う現場では、これらの複数種類の測定装置を常備しておくことはスペース等の問題から難しい。また、地上デジタル放送の電波の品質を受信点で観測する場合に、受信障害（妨害）が発生した地点へ向かうときに数多くの測定装置を携行することも難しい。したがって、伝搬路における妨害が発生したときにその原因を特定することが難しいという問題がある。
【０００８】
本発明は、前記のような問題点に鑑みてなされたものであり、デジタル変調信号の伝送品質を低下させる原因を簡易に特定することが可能なデジタル変調信号解析装置を提供することを目的とする。
【課題を解決するための手段】
【０００９】
本発明は、前記目的を達成するために創案されたものであり、まず、請求項１に記載のデジタル変調信号解析装置は、所定の変調方式で変調されたデジタル変調信号を解析して、解析結果を表示するデジタル変調信号解析装置において、直交復調手段と、振幅抽出手段と、同期付加手段とを備える構成とした。なお、ここで、変調方式としては、ＱＰＳＫ（Quadrature Phase Shift Keying）、ＱＡＭ（Quadrature Amplitude Modulation）、ＯＦＤＭ（Orthogonal Frequency Division Multiplexing）などを想定している。
【００１０】
かかる構成によれば、デジタル変調信号解析装置は、直交復調手段によって、デジタル変調信号を直交復調してＩ信号およびＱ信号に変換する。ここで、Ｉ信号は、シンボル（キャリアシンボル）の実数軸成分であり、Ｑ信号はシンボルの虚数軸成分である。そして、デジタル変調信号解析装置は、振幅抽出手段によって、直交復調手段によって出力されるＩ信号およびＱ信号に基づいて、所定の時間軸信号の振幅成分を抽出する。ここで、時間軸信号は複素数信号であり、その振幅成分とは、例えば実数成分および虚数成分の２乗和の平方根や、所定の複素除算の結果の実数部分からなる。さらに、デジタル変調信号解析装置は、同期付加手段によって、振幅抽出手段によって抽出された振幅成分に同期信号を付加して表示手段に出力する。これにより、表示手段には、時間軸信号の振幅成分が表示される。この振幅成分の表示は、デジタル変調信号の伝搬路や受信点における妨害が発生した場合、妨害原因を反映することができる。
【００１１】
また、請求項２に記載のデジタル変調信号解析装置は、請求項１に記載のデジタル変調信号解析装置において、時間軸信号が、直交復調手段によって出力されるＩ信号およびＱ信号であることを特徴とする。このようにすることで、デジタル変調信号解析装置の構成を簡略化することができる。
【００１２】
また、請求項３に記載のデジタル変調信号解析装置は、請求項１に記載のデジタル変調信号解析装置において、直交復調手段によって出力されるＩ信号およびＱ信号に含まれている変調成分を打ち消す信号処理を行って時間軸信号を生成する信号処理手段をさらに備えることを特徴とする。かかる構成によれば、時間軸信号は、変調成分を打ち消す信号処理が施されているので、その振幅成分からも変調成分が打ち消されることになる。その結果、この振幅成分が表示手段に表示されるときに、ランダムなノイズが抑制される。
【００１３】
また、請求項４に記載のデジタル変調信号解析装置は、請求項３に記載のデジタル変調信号解析装置において、信号処理手段が、同期検波手段と、硬判定手段と、複素除算手段とを備えることとした。
【００１４】
かかる構成によれば、信号処理手段は、同期検波手段によって、直交復調手段によって出力されるＩ信号およびＱ信号について位相同期および周波数同期を行う。これにより、Ｉ信号およびＱ信号に含まれている変調成分が打ち消される。そして、信号処理手段は、硬判定手段によって、同期検波手段から出力される信号におけるキャリアシンボルを硬判定する。これにより、マルチパス等の影響を除去することができる。さらに、信号処理手段は、複素除算手段によって、同期検波手段から出力される信号を、硬判定手段から出力される信号で複素除算する。これにより、変調およびマルチパス等の影響を除去した複素信号を生成できる。そして、この複素除算手段から出力される信号を時間軸信号とする。これによれば、時間軸信号の振幅成分が表示手段に表示されるときに、ノイズを低減することができる。
【００１５】
また、請求項５に記載のデジタル変調信号解析装置は、請求項３に記載のデジタル変調信号解析装置において、信号処理手段が、基準信号発生手段と、高速フーリエ変換手段と、基準信号抽出手段と、複素除算手段とを備えることとした。
【００１６】
かかる構成によれば、信号処理手段は、基準信号発生手段によって、デジタル変調信号の波形を等化する波形等化用基準信号を発生し、高速フーリエ変換手段によって、直交復調手段から出力されるＩ信号およびＱ信号を高速フーリエ変換により、周波数領域のキャリアデータに変換する。ここで、波形等化用基準信号は、送信側で予め送信変調信号に挿入されているものと同一のものであり、例えば、ＯＦＤＭ方式のＳＰ（Scatterded Pilot）信号や、ＣＰ（Continual pilot）信号のことである。そして、信号処理手段は、基準信号抽出手段によって、高速フーリエ変換手段から出力されるキャリアデータから、送信側で予め挿入された波形等化用基準信号に相当する基準信号を抽出する。さらに、信号処理手段は、複素除算手段によって、基準信号抽出手段で抽出された基準信号を、基準信号発生手段で発生した波形等化用基準信号で複素除算する。そして、この複素除算手段から出力される信号を時間軸信号とする。これによれば、キャリアデータの一部のみ演算に利用するので、高速に処理することができる。
【００１７】
また、請求項６に記載のデジタル変調信号解析装置は、請求項３に記載のデジタル変調信号解析装置において、信号処理手段が、等化手段と、硬判定手段と、切替手段と、複素除算手段とを備えることした。
【００１８】
かかる構成によれば、信号処理手段は、等化手段によって、前記デジタル変調信号の波形を等化する波形等化用基準信号と、直交復調手段から出力されるＩ信号およびＱ信号とに基づいて、デジタル変調信号が伝送された伝送路の伝送路特性を推定する。これにより、基準信号が含まれていないシンボルについても伝送路特性が推定される。なお、波形等化用基準信号は等化手段の内部で生成してもよい。そして、信号処理手段は、硬判定手段によって、等化手段から出力される伝送路特性におけるキャリアシンボルを硬判定する。これにより、マルチパスの影響を除去することができる。そして、信号処理手段は、切替手段によって、波形等化用基準信号と、硬判定手段から出力される硬判定出力と、を所定のタイミングで切り替える。ここで、切替タイミングとしては、デジタル変調信号の基準信号区間では波形等化用基準信号側、データ区間では、硬判定出力側となるようにする。さらに、信号処理手段は、複素除算手段によって、等化手段で推定された伝送路特性を、切替手段により切り替えられた信号で複素除算する。そして、複素除算手段から出力される信号を時間軸信号とする。これによれば、全キャリアデータを利用するので、表示手段に表示される振幅成分の精度が向上する。
【００１９】
また、請求項７に記載のデジタル変調信号解析装置は、所定の変調方式で変調されたデジタル変調信号を解析して、解析結果を表示するデジタル変調信号解析装置において、直交復調手段と、信号処理手段と、同期付加手段とを備えることとした。
【００２０】
かかる構成によれば、デジタル変調信号解析装置は、直交復調手段によって、デジタル変調信号を直交復調してＩ信号およびＱ信号に変換する。そして、デジタル変調信号解析装置は、信号処理手段によって、直交復調手段によって出力されるＩ信号およびＱ信号に含まれている変調成分を打ち消す信号処理を行って時間軸信号を生成すると共に、この時間軸信号の振幅成分を抽出する。さらに、デジタル変調信号解析装置は、同期付加手段によって、信号処理手段によって抽出された振幅成分に同期信号を付加して表示手段に出力する。これにより、表示手段には、変調成分が打ち消された時間軸信号の振幅成分が表示される。この振幅成分の表示は、デジタル変調信号の伝搬路や受信点における妨害が発生した場合、妨害原因を反映することができる。
【００２１】
また、請求項８に記載のデジタル変調信号解析装置は、請求項７に記載のデジタル変調信号解析装置において、信号処理手段が、同期検波手段と、硬判定手段と、複素除算手段とを備えることとした。
【００２２】
かかる構成によれば、信号処理手段は、同期検波手段によって、直交復調手段によって出力されるＩ信号およびＱ信号について位相同期および周波数同期を行う。そして、信号処理手段は、硬判定手段によって、同期検波手段から出力される信号におけるキャリアシンボルを硬判定する。さらに、信号処理手段は、複素除算手段によって、同期検波手段から出力される信号を、硬判定手段から出力される信号で複素除算して時間軸信号を生成し、その実数部分を、この時間軸信号の振幅成分として抽出する。これによれば、振幅成分が表示手段に表示されるときに、ノイズを低減することができる。
【００２３】
また、請求項９に記載のデジタル変調信号解析装置は、請求項８に記載のデジタル変調信号解析装置において、信号処理手段が、デジタル変調信号の波形を等化する波形等化用基準信号を発生する基準信号発生手段と、基準信号発生手段で発生する波形等化用基準信号と、前記硬判定手段から出力される信号と、を所定のタイミングで切り替える切替手段と、をさらに備え、複素除算手段が、同期検波手段から出力される信号を、切替手段によって切り替えられた信号で複素除算することを特徴とする。
【００２４】
かかる構成によれば、複素除算手段に入力される信号は、所定のタイミングで切り替えられる。ここで、切替タイミングとしては、デジタル変調信号の基準信号区間では波形等化用基準信号側、データ区間では、硬判定出力側となるようにする。これによれば、硬判定手段による判定誤りの影響を低減できる。
【発明の効果】
【００２５】
請求項１に記載の発明によれば、表示手段には、振幅抽出手段が抽出した時間軸信号の振幅成分が表示される。この振幅成分の表示は、デジタル変調信号の伝搬路や受信点における妨害が発生した場合、妨害原因を反映することができる。その結果、表示手段を監視することによって、デジタル変調信号の妨害原因を特定することができる。そのため、特定した妨害原因に応じた適切な対処を迅速に行うことができるようになる。
【００２６】
請求項２に記載の発明によれば、デジタル変調信号解析装置の構成を簡略化することができる。これによって、装置の小型化、製作コストの低減を図ることが可能となる。
【００２７】
請求項３に記載の発明によれば、時間軸信号の振幅成分からも変調成分が打ち消されることになり、この振幅成分が表示手段に表示されるときに、画面上で、ランダムなノイズが抑制される。これによって、表示手段を監視するときに、妨害原因が判別し易くなる。
【００２８】
請求項４に記載の発明によれば、Ｉ信号およびＱ信号に含まれている変調成分が打ち消されると共に、マルチパス等の影響を除去することができる。これによって、表示手段に表示されるときに、ノイズを低減することができるので、表示が比較的明るくなり、妨害原因を特定し易くする。
【００２９】
請求項５に記載の発明によれば、デジタル変調信号から基準信号のみを抽出して、時間軸信号を生成するので、簡易な構成で高速に演算処理を行うことができる。
【００３０】
請求項６に記載の発明によれば、基準信号が含まれていないシンボルも含めて全キャリアデータに基づいて時間軸信号を生成するので、表示手段に表示される振幅成分の精度が向上する。
【００３１】
請求項７に記載の発明によれば、Ｉ信号およびＱ信号に含まれている変調成分を打ち消す信号処理手段において、時間軸信号の振幅成分を抽出するようにしたので、構成を簡略化することができる。また、変調成分が打ち消された時間軸信号の振幅成分が表示手段に表示されるときに、画面上で、ランダムなノイズが抑制される。これによって、表示手段を監視するときに、妨害原因が判別し易くなる。
【００３２】
請求項８に記載の発明によれば、簡易な構成で、Ｉ信号およびＱ信号に含まれている変調成分が打ち消されると共に、マルチパス等の影響を除去することができる。これによって、時間軸信号の振幅成分を表示手段に表示するときに、ノイズが低減される。
【００３３】
請求項９に記載の発明によれば、基準信号区間とデータ区間とで複素除算手段に入力される信号が切り替えられるので、硬判定の誤りを低減することができる。
【発明を実施するための最良の形態】
【００３４】
以下では、まず、デジタル変調信号解析装置の基本構成について説明し、この基本構成に基づいた様々なバリエーションを、第１乃至第６実施形態として順次説明していくこととする。
【００３５】
［基本構成］
図１は、デジタル変調信号解析装置の基本構成を示したブロック図である。このデジタル変調信号解析装置１は、ＱＰＳＫ、ＱＡＭ、ＯＦＤＭなどの変調方式で変調されたデジタル変調信号（以下、単に、デジタル変調信号という）を解析し、解析結果を表示するものである。このために、図１に示すように、デジタル変調信号解析装置１は、直交復調手段１０と、振幅抽出手段２０と、同期付加手段３０と、表示手段４０とを備えている。
【００３６】
直交復調手段１０は、入力されたデジタル変調信号を直交復調してＩ信号およびＱ信号に変換して、振幅抽出手段２０に出力するものである。ここで、Ｉ信号は、シンボル（キャリアシンボル）の実数軸成分であり、Ｑ信号はシンボルの虚数軸成分である。なお、この直交復調手段１０に入力されるデジタル変調信号は、図示しないアンテナから入力されて中間周波数（ＩＦ）に周波数変換され、ＡＤ変換された複素デジタルＩＦ信号である。
振幅抽出手段２０は、直交復調手段１０によって出力されるＩ信号およびＱ信号に基づいて、入力信号（時間軸信号）の振幅成分を抽出し、抽出した振幅成分を同期付加手段３０に出力するものである。
【００３７】
同期付加手段３０は、図示しない同期信号発生手段を備えており、振幅抽出手段２０によって抽出された振幅成分を表示手段４０に表示するために、この振幅成分に同期信号（水平同期信号および垂直同期信号）を付加して表示手段４０に出力するものである。
表示手段４０は、同期付加手段３０によって同期信号が付加された振幅成分を画面表示するものである。
【００３８】
このデジタル変調信号解析装置１は、直交復調手段１０と、振幅抽出手段２０と、同期付加手段３０を含む単体の装置に、表示手段４０としての市販の映像モニタを電気的に接続することにより構成することができる。なお、表示手段４０を一体に備えたデジタル変調信号解析装置も構成することが可能であるが、以下の説明では、表示手段４０は、別体の映像モニタであることとする。
【００３９】
［第１実施形態］
図１に示したデジタル変調信号解析装置１における直交復調手段１０および振幅抽出手段２０の一構成例を第１実施形態として図２を参照して説明する。図２は、第１実施形態のデジタル変調信号解析装置の構成図である。図２に示すように、このデジタル変調信号解析装置１Ａは、図１に示したデジタル変調信号解析装置１と同一の構成なので、同一の構成には同一の符号を付し、説明を省略する。
【００４０】
直交復調手段１０は、正弦波発振器１１と、９０度移相器１２と、乗算器１３ａ、１３ｂとを備えている。
正弦波発振器１１は、所定の振動数および振幅を有する正弦波信号を生成する発振器であり、生成した正弦波信号を乗算器１３ａおよび９０度移相器１２に出力するものである。
９０度移相器１２は、正弦波発振器１１で生成された正弦波信号の位相を９０度シフトして、このシフトされた正弦波信号を乗算器１３ｂに出力するものである。
【００４１】
乗算器１３ａは、直交復調手段１０に入力したデジタル変調信号（複素デジタルＩＦ信号）と、正弦波発振器１１から出力される正弦波信号とを乗算することにより、複素デジタルＩＦ信号の実数軸成分（Ｉ信号）を生成し、振幅抽出手段２０に出力するものである。
乗算器１３ｂは、直交復調手段１０に入力したデジタル変調信号（複素デジタルＩＦ信号）と、９０度移相器１２から出力される９０度シフトされた正弦波信号とを乗算することにより複素デジタルＩＦ信号の虚数軸成分（Ｑ信号）を生成し、振幅抽出手段２０に出力するものである。
【００４２】
振幅抽出手段２０は、時間軸信号としてＩ信号およびＱ信号を入力し、この時間軸信号の振幅成分を抽出するものであり、２乗計算器２１ａ，２１ｂと、加算器２２と、平方根計算器２３とを備えている。
２乗計算器２１ａは、乗算器１３ａから出力されるＩ信号を２乗して、加算器２２に出力するものである。
２乗計算器２１ｂは、乗算器１３ｂから出力されるＱ信号を２乗して、加算器２２に出力するものである。
加算器２２は、２乗計算器２１ａから出力されるＩ信号の２乗値と、２乗計算器２１ｂから出力されるＱ信号の２乗値とを加算して、この加算値（電力値）を平方根計算器２３に出力するものである。
平方根計算器２３は、加算器２２から出力される加算値の平方根を算出し、算出した平方根の値を同期付加手段３０に出力するものである。
【００４３】
このような構成の直交復調手段１０および振幅抽出手段２０を備えたデジタル変調信号解析装置１Ａは、入力されたデジタル変調信号を、直交復調手段１０によって直交復調し、直交復調された信号（時間軸信号）の振幅成分を振幅抽出手段２０によって抽出する。そして、デジタル変調信号解析装置１Ａは、同期付加手段３０によって、この振幅成分に同期信号を付加して、表示手段４０（映像モニタ）に表示する。
【００４４】
ここで、デジタル変調信号解析装置１Ａが映像モニタに表示する振幅成分の表示例を図８を参照して説明する。図８は、映像モニタの表示例を説明するための図である。このデジタル変調信号解析装置１Ａに入力するデジタル変調信号が、妨害を受けていない場合、図８の（ａ）に示すように、画面に一様なノイズ（砂嵐）が表示される（ノーマル）。ここで、妨害としては、例えば、同一チャンネルのデジタル波の干渉、アナログＦＭ変調の干渉、連絡無線等からの干渉（以上、干渉波）や、レーダーパルス等のパルス雑音が挙げられる。
【００４５】
これに対して、このデジタル変調信号解析装置１Ａに入力するデジタル変調信号が、干渉波の影響を受けている場合、図８の（ｂ）に示すように、画面に、一様なノイズの上に斜線の縞模様が表示される（ビート）。また、このデジタル変調信号解析装置１Ａに入力するデジタル変調信号が、パルス雑音の影響を受けている場合、図８の（ｃ）に示すように、画面に、一様なノイズの上に水平方向に引っかいたような複数の傷が表示される（パルス）。
【００４６】
このデジタル変調信号解析装置１Ａによれば、デジタル変調信号が妨害を受けたときに、妨害の種類に応じて画面に表示される映像が変化する。したがって、デジタル変調信号解析装置１Ａの映像モニタを監視することにより、複数の測定装置を使用することなく、伝搬路（伝送路）で発生した妨害の原因を簡易に特定することができる。その結果、伝搬路で発生した妨害に対して迅速な対処を可能とすることができる。
【００４７】
なお、デジタル変調信号解析装置１Ａの振幅抽出手段２０において、平方根計算器２３を取り除いた構成としてもよい。この場合には、加算器２２から出力される加算値（電力値）がそのまま同期付加手段３０に出力され、映像モニタに振幅成分の代わりに電力値が表示されることとなる。このときの画面表示は図８に示したものと同様である。
【００４８】
ここで、デジタル変調信号の伝送品質を低下させる要因としては、伝搬路で発生する妨害（干渉波、パルス雑音）以外に、受信電力の低下によるランダム雑音の増加（以下、受信電力低下という）が知られている。しかし、第１の実施形態のデジタル変調信号解析装置１Ａでは、受信電力低下の場合に映像モニタに表示される画面表示と、ノーマル（妨害のない場合）の画面表示とを判別しにくいという問題がある。そこで、受信電力低下の画面表示を改善した実施形態を以下に、第２乃至第６実施形態として説明する。
【００４９】
［第２実施形態］
ＱＡＭ方式のデジタル変調信号を解析、表示するデジタル変調信号解析装置を図３を参照して説明する。図３は、第２実施形態のデジタル変調信号解析装置の構成図である。図３に示すように、このデジタル変調信号解析装置１Ｂは、直交復調手段１０の後段に信号処理手段５０（５０Ｂ）を備える点を除いて、図２に示したデジタル変調信号解析装置１Ａと基本的に同一の構成である。そのため、同一の構成には同一の符号を付し、説明を省略する。
【００５０】
信号処理手段５０Ｂは、直交復調手段１０から入力されるデジタル変調信号（ＱＡＭ方式）に含まれている変調成分を打ち消すものである。この信号処理手段５０Ｂは、同期検波手段５１と、硬判定手段５２と、複素除算手段５３とを備えている。
【００５１】
同期検波手段５１は、直交復調手段１０から入力されるＩ信号およびＱ信号について位相同期および周波数同期を行い、位相同期および周波数同期が確立した信号Ｓ（＝ＳI＋ｊＳQ）を、硬判定手段５２および複素除算手段５３に出力するものである。
また、同期検波手段５１は、位相比較器、ループフィルタおよびＶＣＯ（Voltage Controlled Oscillator：電圧制御発振器）を含む判定帰還形ＰＬＬ(Phase Locked Loop：位相同期回路)を備え、これにより、Ｉ信号とＱ信号の位相同期を確立する。
また、同期検波手段５１は、周波数２逓倍回路（２乗則回路）、ＢＰＦ（帯域通過フィルタ）および１／２周波数分割回路を含むキャリア（搬送波）再生回路を備え、これにより、Ｉ信号とＱ信号の周波数同期を確立する。
【００５２】
硬判定手段５２は、同期検波手段５１から出力される信号Ｓを入力し、入力された信号Ｓにおけるシンボル（キャリアシンボル）を硬判定することにより送信側で送信したと思われる送信信号点を推定し、硬判定出力信号Ｓ′（＝ＳI′＋ｊＳQ′）を複素除算手段５３に出力するものである。この硬判定手段５２により、デジタル変調信号にマルチパスや雑音の影響が含まれていてもこれらを除去することが可能になる。
複素除算手段５３は、同期検波手段５１から出力される信号Ｓを硬判定出力信号Ｓ′で除算し、その商である時間軸信号Ｄを振幅抽出手段２０に出力するものである。この時間軸信号Ｄは、（１）式で示される。
【００５３】
【数１】
2006157362.tif 000003
【００５４】
ここで、この（１）式に示すように、複素除算手段５３が算出した時間軸信号Ｄの実数成分をａ、虚数成分をｂと定義する。この実数成分ａおよび虚数成分ｂは、それぞれ、振幅抽出手段２０の２乗計算器２１ａ、２１ｂに出力される。そして、加算器２２は、２乗計算器２１ａから出力される実数成分ａの２乗値と、２乗計算器２１ｂから出力される虚数成分ｂの２乗値とを加算して、この加算値（電力値）を平方根計算器２３に出力する。さらに、平方根計算器２３は、加算器２２から出力される加算値の平方根の値Ａｍｐを算出し、同期付加手段３０に出力する。このときＡｍｐは、（２）式で示される。
【００５５】
【数２】
2006157362.tif 000004
【００５６】
このような構成のデジタル変調信号解析装置１Ｂは、入力されたデジタル変調信号（ＱＡＭ方式）を、直交復調手段１０によって直交復調し、生成されたＩ信号およびＱ信号に含まれている変調成分を信号処理手段５０Ｂによって打ち消し、変調成分を打ち消された時間軸信号Ｄの振幅成分を振幅抽出手段２０によって抽出する。そして、デジタル変調信号解析装置１Ｂは、同期付加手段３０によって、この振幅成分に同期信号を付加して、表示手段４０（映像モニタ）に表示する。
【００５７】
ここで、デジタル変調信号解析装置１Ｂが映像モニタに表示する振幅成分の表示例を図９を参照して説明する。図９は、映像モニタの表示例を説明するための図である。このデジタル変調信号解析装置１Ｂに入力するデジタル変調信号が、伝搬路における妨害等の影響を受けていない場合、図９の（ａ）に示すように、画面に一様なノイズ（砂嵐）が表示される。このときのノイズは、図８の（ａ）に示されるノイズと比較して、ざらつき感が減少して明るくなっている（ノイズの木目が細かくなっている）。
【００５８】
一方、このデジタル変調信号解析装置１Ｂに入力するデジタル変調信号が、干渉波の影響を受けている場合、図９の（ｂ）に示すように、画面に、一様なノイズの上に斜線の縞模様が表示され（ビート）、パルス雑音の影響を受けている場合、図９の（ｃ）に示すように、画面に、一様なノイズの上に水平方向に引っかいたような複数の傷が表示される（パルス）。このときの背景となっているノイズは、図８の（ｂ）、（ｃ）に示されるノイズと比較して、ざらつき感が減少して明るくなっている（ノイズの木目が細かくなっている）。
【００５９】
この図８の（ｂ）、（ｃ）でそれぞれ示されるビートおよびパルスが発生しているときに、さらに、このデジタル変調信号解析装置１Ｂが、受信電力低下を引き起こしている場合、図９の（ｄ）、（ｅ）にそれぞれ示すように、背景のノイズのざらつき感が増加して暗くなっている（ノイズの木目が粗くなっている）。しかしながら、それぞれ、斜線の縞模様（ビート）、複数の傷（パルス）を目視により判別することができる。
【００６０】
したがって、このデジタル変調信号解析装置１Ｂによれば、信号処理手段５０（５０Ｂ）を設けたことにより、伝搬路における妨害を受けたときだけではなく、受信電力低下の場合にも、映像モニタを監視することにより、妨害の原因を簡易に特定することができる。その結果、妨害に対して迅速な対処を可能とすることができる。
【００６１】
［第３実施形態］
ＱＡＭ方式のデジタル変調信号を解析、表示するデジタル変調信号解析装置の第２の例を図４を参照して説明する。図４は、第３実施形態のデジタル変調信号解析装置の構成図である。図４に示すように、このデジタル変調信号解析装置１Ｃは、振幅抽出手段２０を省略したことを主要な相違点として、図３に示したデジタル変調信号解析装置１Ｂと基本的に同一の構成である。そのため、同一の構成には同一の符号を付し、説明を省略する。
【００６２】
信号処理手段５０（５０Ｃ）は、複素除算手段５４の機能が異なる点を除いて、図３に示した信号処理手段５０Ｂと同一なので、その他の構成の説明は省略する。
複素除算手段５４は、同期検波手段５１から出力される信号Ｓを硬判定出力信号Ｓ′で除算すると共に、その商である時間軸信号の実数部分ＤIを同期付加手段３０に出力するものである。この実数部分ＤIは、（３）式で示される。なお、この複素除算手段５４は、図１に示した振幅抽出手段２０に相当する。
【００６３】
【数３】
2006157362.tif 000005
【００６４】
このような構成のデジタル変調信号解析装置１Ｃは、入力されたデジタル変調信号（ＱＡＭ方式）を、直交復調手段１０によって直交復調し、生成されたＩ信号およびＱ信号に含まれている変調成分を信号処理手段５０Ｃによって打ち消すと共に、時間軸信号の振幅成分を抽出する。そして、デジタル変調信号解析装置１Ｃは、同期付加手段３０によって、この振幅成分に同期信号を付加して、表示手段４０（映像モニタ）に表示する。このデジタル変調信号解析装置１Ｃが映像モニタに表示する振幅成分の表示例は、図９に示したものと同様なものとなる。本実施形態によれば、受信電力低下の場合にも対応した監視装置を簡易な構成で実現することができる。
【００６５】
［第４実施形態］
ＱＡＭ方式のデジタル変調信号を解析、表示するデジタル変調信号解析装置の第３の例を図５を参照して説明する。図５は、第４実施形態のデジタル変調信号解析装置の構成図である。図５に示すように、このデジタル変調信号解析装置１Ｄは、信号処理手段５０（５０Ｄ）に基準信号発生手段５５を備える点を除いて、図４に示したデジタル変調信号解析装置１Ｃと基本的に同一の構成である。そのため、同一の構成には同一の符号を付し、説明を省略する。
【００６６】
信号処理手段５０Ｄの基準信号発生手段５５は、ＱＡＭ方式のＦＰＵやＳＴＬ、ＴＴＬ、ＴＳＬに用いられている信号フォーマットに対応して、デジタル変調信号の波形を等化する波形等化用基準信号を図示しないメモリに記憶しており、読み出した波形等化用基準信号を、所定の条件のときに複素除算手段５４に出力するものである。
波形等化用基準信号の信号フォーマットは、基準信号長２５６シンボル、ブロック長１９２００シンボル、レート１７８．１［ｋＨｚ］、挿入周期６９５．５［Ｈｚ］、占有率１／７５、情報伝送シンボルレート１３．１８［Ｍｂａｕｄ］、最大伝送レート７９．０５６［Ｍｂｉｔ／ｓ］（６４ＱＡＭの場合）とされている。あるいは、補助信号を含めた場合には、ブロック長２００９６シンボル、占有率２／１５７、最大情報レート１３．１８［Ｍｂａｕｄ］、補助信号レート６２３［ｋｂａｕｄ］とされている。
【００６７】
スイッチ（切替手段）ＳＷ１，ＳＷ２は、このデジタル変調信号解析装置１Ｄに入力されるデジタル変調信号に基づいて、複素除算手段５４へ入力する信号（除数信号）を、所定のタイミングで、硬判定手段５２からの出力信号または基準信号発生手段５５からの出力信号に切替可能に構成されている。すなわち、このデジタル変調信号解析装置１Ｄに入力されるデジタル変調信号の基準信号区間（２５６シンボル）の受信タイミングにおいては、基準信号発生手段５５から出力される波形等化用基準信号を、前記の（３）式における信号Ｓ′（＝ＳI′＋ｊＳQ′）として入力する。また、このデジタル変調信号のＦＰＵデータ区間の受信タイミングにおいては、硬判定手段５２から出力される硬判定出力信号を、前記の（３）式における信号Ｓ′（＝ＳI′＋ｊＳQ′）として入力する。なお、スイッチＳＷ１，ＳＷ２はそれぞれ実数軸成分、虚数軸成分に対応している。
【００６８】
このような構成のデジタル変調信号解析装置１Ｄが映像モニタに表示する振幅成分の表示例は、図９に示したものと同様なものとなる。本実施形態によれば、振幅抽出時に、デジタル変調信号の先頭の基準信号に波形等化用基準信号を利用することで、複素除算手段５４が硬判定手段５２による硬判定出力に全面的に依存することを回避できる。これによれば、硬判定手段５２による判定誤りの影響を低減し、振幅抽出を精度よく実行することが可能になる。
【００６９】
［第５実施形態］
地上デジタル放送に適用する例として、ＯＦＤＭ方式のデジタル変調信号を解析、表示するデジタル変調信号解析装置を図６を参照して説明する。図６は、第５実施形態のデジタル変調信号解析装置の構成図である。図６に示すように、このデジタル変調信号解析装置１Ｅは、信号処理手段５０（５０Ｅ）の構成が異なる点を除いて、図３に示したデジタル変調信号解析装置１Ｂと基本的に同一の構成である。そのため、同一の構成には同一の符号を付し、説明を省略する。
【００７０】
信号処理手段５０Ｅは、基準信号発生手段５５と、ＦＦＴ（Fast Fourier Transform：高速フーリエ変換回路）５６と、基準信号抽出手段５７と、複素除算手段５４ａと、を備えている。
基準信号発生手段５５は、図５に示したものと同一のものであり、図示しないメモリから読み出した波形等化用基準信号を複素除算手段５４ａに出力するものである。ここで読み出される波形等化用基準信号は、送信側で挿入したＳＰ信号（既知）と同一のものであり、ここでは、これをＳＰ信号Ｘspと記述する。
【００７１】
ＦＦＴ５６は、直交復調手段１０から出力されるＩ信号およびＱ信号の中から有効シンボル期間信号を取り出して高速フーリエ変換（ＦＦＴ）により、周波数領域のキャリアデータに変換して、スペクトル信号Ｓを基準信号抽出手段５７に出力するものである。
基準信号抽出手段５７は、ＦＦＴされたスペクトル信号Ｓの中で送信側で挿入した基準信号（ＳＰ信号）を、シンボル信号配置図の複素平面上の位置として抽出し、実際に抽出したＳＰ信号Ｓspを複素除算手段５４ａに出力するものである。
【００７２】
複素除算手段５４ａは、基準信号抽出手段５７で抽出されたＳＰ信号Ｓspと、基準信号発生手段５５で読み出した正規のＳＰ信号Ｘspとを同一のタイミングで取得し、（４）式に基づいて、抽出した信号Ｓspを正規のＳＰ信号Ｘspで複素除算し、その商である時間軸信号Ｈspを振幅抽出手段２０に出力するものである。この時間軸信号Ｈspは、正規のＳＰ信号Ｘspに作用するもので、デジタル変調信号が伝送された伝送路の伝送路特性を示している。
【００７３】
【数４】
2006157362.tif 000006
【００７４】
振幅抽出手段２０は、前記の（２）式に基づいて、時間軸信号Ｈspの実数成分および虚数成分の２乗和の平方根の値Ａｍｐを算出し、同期付加手段３０に出力する。
【００７５】
このような構成のデジタル変調信号解析装置１Ｅが映像モニタに表示する振幅成分の表示例は、図９に示したものと同様なものとなる。本実施形態によれば、デジタル変調信号解析装置１Ｅに送信されてくるデジタル変調信号において、全ＯＦＤＭキャリアに対するＳＰ信号の挿入割合は約８％と比較的多いため、このＳＰ信号に基づいた振幅成分のみを表示するような簡易な構成で妨害原因を特定することができる。
なお、本実施形態は地上デジタル放送に適用する例として記載したが、例えばＦＰＵ等に適用する場合には、波形等化用基準信号を、ＳＰ信号に代えてＣＰ（Continual pilot）信号とすれば同様な効果を奏することができる。
【００７６】
［第６実施形態］
地上デジタル放送に適用する第２の例として、ＯＦＤＭ方式のデジタル変調信号を解析、表示するデジタル変調信号解析装置を図７を参照して説明する。図７は、第６実施形態のデジタル変調信号解析装置の構成図である。図７に示すように、このデジタル変調信号解析装置１Ｆは、信号処理手段５０（５０Ｆ）の構成が異なる点を除いて、図６に示したデジタル変調信号解析装置１Ｅと基本的に同一の構成である。そのため、同一の構成には同一の符号を付し、説明を省略する。
【００７７】
信号処理手段５０Ｆは、基準信号発生手段５５ａと、ＦＦＴ５６ａと、基準信号抽出手段５７と、複素除算手段５４ｂ，５４ｃ，５４ｄと、硬判定手段５２ａと、補間手段５８と、スイッチＳＷ１，ＳＷ２とを備えている。
基準信号発生手段５５ａは、図示しないメモリから読み出した正規のＳＰ信号Ｘspを複素除算手段５４ｂ，５４ｄに出力するものである。
【００７８】
ＦＦＴ５６ａは、高速フーリエ変換により周波数領域に変換したキャリアデータを、基準信号抽出手段５７および複素除算手段５４ｃに出力するものである。
基準信号抽出手段５７は、ＦＦＴされたスペクトル信号Ｓの中で送信側で挿入された基準信号（ＳＰ信号）を抽出し、実際に抽出したＳＰ信号Ｓspを複素除算手段５４ｂに出力するものである。
複素除算手段５４ｂは、前記の（４）式に基づいて、基準信号抽出手段５７で抽出された信号Ｓspを、基準信号発生手段５５で読み出した正規のＳＰ信号Ｘspで複素除算し、その商である伝送路特性Ｈsp（正規のＳＰ信号Ｘspに作用するもので、デジタル変調信号が伝送された伝送路の伝送路特性）を補間手段５８に出力するものである。
【００７９】
補間手段５８は、複素除算手段５４ｂから出力される伝送路特性Ｈspに基づいて、ＳＰ信号が挿入されていないキャリアに対する伝送路特性を内挿により補間し、補間により生成された（推定された）すべてのキャリアに対する伝送路特性Ｈispを複素除算手段５４ｃに出力するものである。このために、補間手段５８は、図示しないシンボルフィルタＧsおよびキャリアフィルタＧcを備えている。このシンボルフィルタＧsは、複素除算手段５４ｂ側に配置され、シンボル方向（時間方向）の内挿を行うものである。また、キャリアフィルタＧcは、複素除算手段５４ｃ側に配置され、周波数方向の内挿を行うものである。シンボルフィルタＧsおよびキャリアフィルタＧcによって、推定された伝送路特性Ｈispは、（５）式で示されることとなる。
【００８０】
【数５】
2006157362.tif 000007
【００８１】
複素除算手段５４ｃは、（６）式に基づいて、ＦＦＴ５６ａから出力されるスペクトル信号Ｓを、補間手段５８から出力される伝送路特性Ｈispで複素除算し、その商である判定用信号ＳＨを硬判定手段５２ａおよび複素除算手段５４ｄに出力するものである。なお、信号処理手段５０Ｆのここまでの構成、すなわち、基準信号発生手段５５ａと、基準信号抽出手段５７と、複素除算手段５４ｂ，５４ｃと、補間手段５８とによって、等化手段が構成されている。
【００８２】
【数６】
2006157362.tif 000008
【００８３】
硬判定手段５２ａは、複素除算手段５４ｃから出力される判定用信号ＳＨを入力し、入力された判定用信号ＳＨにおけるシンボル（キャリアシンボル）を硬判定し、硬判定出力信号Ｘdを複素除算手段５４ｄに出力するものである。
スイッチＳＷ１，ＳＷ２は、（７）式に示すように、このデジタル変調信号解析装置１Ｆに入力されるデジタル変調信号に基づいて、複素除算手段５４ｄへ入力する信号Ｘ（除数信号）を、所定のタイミングで、硬判定出力信号Ｘdまたは基準信号発生手段５５からの出力信号Ｘsp（正規のＳＰ信号）に切替可能に構成されている。すなわち、このデジタル変調信号解析装置１Ｆに入力されるデジタル変調信号の基準信号区間の受信タイミングにおいては、正規のＳＰ信号Ｘspを複素除算手段５４ｄへ入力する信号Ｘとして入力する。また、このデジタル変調信号の任意のデータが送出されている区間（データ区間）においては、硬判定出力信号Ｘdを複素除算手段５４ｄへ入力する信号Ｘとして入力する。つまり、この入力信号Ｘ（除数信号）が送信信号の推定値とされることとなる。なお、スイッチＳＷ１，ＳＷ２はそれぞれ実数軸成分、虚数軸成分に対応している。
【００８４】
【数７】
2006157362.tif 000009
【００８５】
複素除算手段５４ｄは、（８）式に基づいて、硬判定出力信号Ｘdまたは正規のＳＰ信号Ｘspのうち、いずれかの入力信号Ｘ（除数信号）で複素除算し、その商である時間軸信号Ｈを振幅抽出手段２０に出力するものである。なお、（８）式の時間軸信号Ｈは、変調成分が打ち消された伝送路特性を示している。
【００８６】
【数８】
2006157362.tif 000010
【図面の簡単な説明】
【００８７】
【図１】デジタル変調信号解析装置の基本構成を示したブロック図である。
【図２】第１実施形態のデジタル変調信号解析装置の構成図である。
【図３】第２実施形態のデジタル変調信号解析装置の構成図である。
【図４】第３実施形態のデジタル変調信号解析装置の構成図である。
【図５】第４実施形態のデジタル変調信号解析装置の構成図である。
【図６】第５実施形態のデジタル変調信号解析装置の構成図である。
【図７】第６実施形態のデジタル変調信号解析装置の構成図である。
【図８】映像モニタの表示例を説明するための図であって、（ａ）はノーマル、（ｂ）はビート、（ｃ）はパルスをそれぞれ示している。
【図９】映像モニタの表示例を説明するための図であって、（ａ）はノーマル、（ｂ）はビート、（ｃ）はパルス、（ｄ）はビート（電界低下）、（ｅ）はパルス（電界低下）をそれぞれ示している。
【符号の説明】
【００８８】
１，１Ａ〜１Ｆ  デジタル変調信号解析装置
１０    直交復調手段
１１    正弦波発振器
１２    ９０度移相器
１３ａ、１３ｂ    乗算器
２０    振幅抽出手段
２１ａ，２１ｂ    ２乗計算器
２２    加算器
２３    平方根計算器
３０    同期付加手段
４０    表示手段
５０，５０Ｂ〜５０Ｆ    信号処理手段
５１    同期検波手段
５２，５２ａ    硬判定手段
５３，５４，５４ａ〜５４ｄ    複素除算手段
５５，５５ａ    基準信号発生手段
５６，５６ａ    ＦＦＴ（高速フーリエ変換手段）
５７    基準信号抽出手段
５８    補間手段
【図１】
2006157362.tif 000011
【図２】
2006157362.tif 000012
【図３】
2006157362.tif 000013
【図４】
2006157362.tif 000014
【図５】
2006157362.tif 000015
【図６】
2006157362.tif 000016
【図７】
2006157362.tif 000017
【図８】
2006157362.tif 000018
【図９】
2006157362.tif 000019